(57)【特許請求の範囲】
【請求項１】
貯蔵室と前記貯蔵室内に設けられた変温室と、前記変温室の温度帯を可変する設定手段と、
前記変温室内に設置された照明装置と、前記変温室の前面に内部が視認できる開閉扉と、前記開閉扉の開閉状態を検知する扉開閉検知手段とを備え、前記変温室の温度帯が第一の温度帯に設定されている状態では、前記照明装置は前記貯蔵室の扉が開放されると前記照明装置へ信号が出力されて照射され、前記変温室の温度帯が前記設定手段により前記第一の温度帯よりも低い第二の温度帯に設定されて、前記扉開閉検知手段により前記開閉扉の開閉状態を検知して前記第二の温度帯から急冷運転に切替わった状態では、前記照明装置は前記設定手段及び前記扉開閉検知手段からの信号を入力として、前記照明装置の照明色は、前記第一の温度帯設定時には白色、前記第二の温度帯設定時には水色、前記急冷運転時には青色としたことを特徴とする冷蔵庫。
【請求項２】
前記照明装置は前記変温室の天面に備えられ、奥行方向で前記天面の中心より前記開閉扉側に設置されたことを特徴とする請求項１に記載の冷蔵庫。
【請求項３】
前記変温室内に収納ケースを備え、前記扉開閉検知手段は前記変温室の奥面壁に設置され、前記収納ケースが所定位置に挿入された時に前記開閉扉が閉じていると判断することを特徴とする請求項１または２に記載の冷蔵庫。
【請求項４】
前記変温室の前記天面には冷却するための風路および冷気吹出し口が設置され、前記照明装置の周辺の風路には冷気の流れを規制する突起部を設けたことを特徴とする請求項２に記載の冷蔵庫。
【発明の詳細な説明】
【技術分野】
【０００１】
本発明は、貯蔵室内に光を照射させる発光素子を備える冷蔵庫に関する。
【背景技術】
【０００２】
家庭用の冷蔵庫は、使用頻度が多く容量も大きい冷蔵室を最上段に設置し、その下部に製氷室と温度切替室とを併設し、さらにその下部に野菜室と冷凍室を順に配置するタイプが多くなってきている。
【０００３】
そして、照明装置としては容量の大きい冷蔵室の天井面あるいは背面に、電球型あるいは発光ダイオード（以下、ＬＥＤという）から成る庫内灯を設け、開扉の際にこの庫内灯を点灯して室内の貯蔵品を照射することで、食品の収納や取出し作業を容易にしていた。
【０００４】
更に近年は、冷却室内の温度を庫内灯の色で表示し、室内の温度に応じて庫内灯の色を変化させたり、また、複数の光源により室内をその温度分布に応じた色温度で照明することにより、貯蔵室内の温度分布を視覚的に把握できるような冷蔵庫が提供されてきている（例えば、特許文献１参照）。
【０００５】
以下、図１１を用いて、従来の冷蔵庫の冷蔵室部分の照射仕様を説明する。
【０００６】
冷蔵室１は内箱２で区画分けされ、貯蔵品を載置する棚３ａ、３ｂ、及び冷蔵室１の最下部に設けた天井板を兼ねる棚３ｃによって室内を上下に複数段に区分されている。また棚３ｃの下部には、冷蔵室１とは別温度帯に設定される変温室４が構成されている。そして冷蔵室１の天井面には庫内灯５を設けており、庫内灯５は天井面に形成した凹部に配置され、その下部をシェード６で覆って庫内灯５の光を拡散し、冷蔵室１の全体を照明している。
【０００７】
また、冷蔵室１の背面には、背面全体に沿って幅広く形成され、冷気を冷蔵室１に導くように背面ダクト７を設けている。この背面ダクト７は、合成樹脂を射出成形した概略平板状のもので、室内背面との間に所定の空間を形成して冷蔵室１の背面全体をほぼ覆うように配設している。背面ダクト７の外周縁は内箱２の背面部の上壁面及び両側壁面と所定の冷気吹出し隙間８を設けるように設置され、また内側の中央部分には、横幅を背面ダクト７の３分の１程度とするとともに、上下寸法は複数の棚３ａ〜３ｃの上下端にわたる高さ寸法の中央吹出し部９を形成している。
【０００８】
また、背面ダクト７の表面には板状の意匠パネル１０が設けられ、さらにこの意匠パネル１０には色温度の異なる複数のＬＥＤからなる光源１１ａ、１１ｂ、１１ｃが取付けられている。そして、冷蔵室１の扉の開扉時には、内箱２の天井面に設けた庫内灯５と、ＬＥＤからなる光源１１ａ〜１１ｃが点灯し、この光で冷蔵室１内を照射する。
【０００９】
ここで冷蔵室１の上部の棚３ａに対応する上部空間、中央部の棚３ｂに対応する中部空間、下部の棚３ｃに対応する下部空間のそれぞれの温度をサーミスター等で検知し、その各棚３ａ〜３ｃの温度に応じた色で各光源１１ａ〜１１ｃを点灯させる。例えば温度が高い場合は「薄い赤色」、標準の場合は「薄い黄色」、低い場合は「薄い青色」に色分けすれば、この色分布によって使用者は視覚的に冷蔵室１内の温度分布が認識できる。
【先行技術文献】
【特許文献】
【００１０】
【特許文献１】特開２００８−１０６９７５号公報
【発明の概要】
【発明が解決しようとする課題】
【００１１】
しかしながら、上記従来の構成では、現状の温度分布は把握できるが、使用者がどの目標温度に設定したかは一目でわからない。特に微妙な温度設定で使用される変温室を提供する場合、どの温度帯（例えば、−１℃〜＋１℃のチルド、−５℃〜―１℃のパーシャル等）に設定されているかの方が、使用者にとっては有益な情報になる。さらに同一温度帯設定でも、動作モードを切替えたことが、視覚的に分かりにくいという課題を有していた。
【００１２】
本発明は、上記の課題を解決するもので、特に変温室において、どの設定温度帯になっているか、どのような動作モードになっているのかが一目で確認でき、設定温度帯の間違いによる食品保存への悪影響が排除できる冷蔵庫を提供することを目的とする。
【課題を解決するための手段】
【００１３】
上記従来の課題を解決するために、本発明の冷蔵庫は、貯蔵室と前記貯蔵室内に設けられた変温室と、前記変温室の温度帯を可変する設定手段と、前記変温室内に設置された照明装置と、前記変温室の前面に内部が視認できる開閉扉と、前記開閉扉の開閉状態を検知する扉開閉検知手段とを備え、前記変温室の温度帯が第一の温度帯に設定されている状態では、前記照明装置は前記貯蔵室の扉が開放されると前記照明装置へ信号が出力されて照射され、前記変温室の温度帯が前記設定手段により前記第一の温度帯よりも低い第二の温度帯に設定されて、前記扉開閉検知手段により前記開閉扉の開閉状態を検知して前記第二の温度帯から急冷運転に切替わった状態では、前記照明装置は前記設定手段及び前記扉開閉検知手段からの信号を入力として、前記照明装置の照明色は、前記第一の温度帯設定時には白色、前記第二の温度帯設定時には水色、前記急冷運転時には青色としたものである。
【００１４】
これにより、変温室の状態が照明色の違いで表現され、使用者が容易に確認することができる。
【発明の効果】
【００１５】
本発明の冷蔵庫は、変温室の食品照明の視認性向上だけではなく、室内の設定温度、動作状態を視覚的に一目で把握でき、使い勝手の良い冷蔵庫を提供することができる。
【図面の簡単な説明】
【００１６】
【図１】本発明の実施の形態１による冷蔵庫の正面図
【図２】本発明の実施の形態１による冷蔵室の図１のＡ−Ａ断面図
【図３】本発明の実施の形態１による冷蔵室の要部拡大図
【図４】本発明の実施の形態１による冷蔵室の照明装置の概略構成図
【図５】本発明の実施の形態１による冷蔵室の照明装置の制御構成ブロック図
【図６】本発明の実施の形態１による冷蔵室の照明装置の調光比率表
【図７】本発明の実施の形態１による冷蔵庫の動作と照明点灯のタイミングチャート
【図８】本発明の実施の形態２による冷蔵庫の要部斜視断面図
【図９】同実施の形態２による冷蔵庫の変温室天面ダクトを内側から見た斜視図
【図１０】同実施の形態２による冷蔵庫の変温室天面ダクトを上面から見た透視図
【図１１】従来の冷蔵庫の冷蔵室部分の正面図
【発明を実施するための形態】
【００１７】
請求項１に記載の発明は、貯蔵室と前記貯蔵室内に設けられた変温室と、前記変温室の温度帯を可変する設定手段と、前記変温室内に設置された照明装置と、前記変温室の前面に内部が視認できる開閉扉と、前記開閉扉の開閉状態を検知する扉開閉検知手段とを備え、前記変温室の温度帯が第一の温度帯に設定されている状態では、前記照明装置は前記貯蔵室の扉が開放されると前記照明装置へ信号が出力されて照射され、前記変温室の温度帯が前記設定手段により前記第一の温度帯よりも低い第二の温度帯に設定されて、前記扉開閉検知手段により前記開閉扉の開閉状態を検知して前記第二の温度帯から急冷運転に切替わった状態では、前記照明装置は前記設定手段及び前記扉開閉検知手段からの信号を入力として、前記照明装置の照明色は、前記第一の温度帯設定時には白色、前記第二の温度帯設定時には水色、前記急冷運転時には青色としたことにより、照明色の違いで変温室内の設定温度を表現できるので、使用者は視覚的に設定状態を適切に判断することができる。
【００２０】
請求項２に記載の発明は、請求項１に記載の発明において、前記照明装置は前記変温室の天面に備えられ、奥行方向で前記天面の中心より前記開閉扉側に設置されたことにより、開閉扉が閉時だけでなく、開時で内蔵の収納ケースが引出された場合でも、ケース上の貯蔵品が照射されるので、操作時でも視認性の優れた照射が行える。
【００２１】
請求項３に記載の発明は、請求項１または２に記載の発明において、前記変温室内に収納ケースを備え、前記扉開閉検知手段は前記変温室の奥面壁に設置され、前記収納ケースが所定位置に挿入された時に前記開閉扉が閉じていると判断することにより、前面にある開閉扉側に不必要な構造を設ける必要がなく、意匠的に優れた構成とすることができる。
【００２２】
請求項４に記載の発明は、請求項２に記載の発明において、前記変温室の前記天面には冷却するための風路および複数個の冷気吹出し口が設置され、前記照明装置の周辺の風路には冷気の流れを規制する複数個の突起部を設けたことにより、照明装置の取付けにより阻害される変温室前方への風路が確保されるので、変温室の温度制御と室内の均温化の精度を高めることができる。
【００２３】
以下、本発明の実施の形態について、図面を参照しながら説明する。なお、この実施の形態によって本発明が限定されるものではない。
【００２４】
（実施の形態１）
図１は本発明の実施の形態１による冷蔵庫の正面図、図２は同実施の形態１による冷蔵室の図１のＡ−Ａ断面図、図３は同実施の形態１による冷蔵室の図２の要部拡大図、図４は同実施の形態１による冷蔵室の照明装置の概略構成図、図５は同実施の形態１による冷蔵室の照明装置の制御構成ブロック図、図６は同実施の形態１による冷蔵室の照明装置の調光比率表、図７は同実施の形態１による冷蔵庫の動作と照明点灯のタイミングチャートである。
【００２５】
図１及び図２において、冷蔵庫１０１は上段、中段、及び下段の５つに区画された貯蔵室を備える。具体的には、上段の貯蔵室は冷蔵室１０２で前面に観音開き式扉を有し、下方に引出し扉を備える第一の冷凍室１０３と、それと並行に引出し扉を備える製氷室１０５があり、最下部に配置される引出し扉を備えた野菜室１０６と、製氷室１０５と野菜室１０６の間に配置した第二の冷凍室１０４とから構成される。各引出し扉は、それぞれ１０２ａ、１０３ａ、１０４ａ、１０６ａとして図示される（製氷室扉１０５ａは図示せず）。冷蔵室１０２と、横並びの製氷室１０５と第一の冷凍室１０３とは、上下に断熱区画壁１１１により区画される。さらに、横並びの製氷室１０５及び第一の冷凍室１０３と第二の冷凍室１０４、第二の冷凍室１０４と野菜室１０６も、同様に断熱区画壁１１１によ
り上下に区画される。
【００２６】
また、外箱１０８と内箱１０９の間に充填された断熱壁１１０で形成された冷蔵庫１０１は、上部に設けた冷蔵室１０２内の下部に別の貯蔵室として変温室１０７を区画形成している。変温室１０７は切替え室として構成され、本実施の形態の場合は、０℃付近の冷蔵温度帯の第一の温度帯（チルド）と、第一の温度帯と約−６℃以下の冷凍温度帯との間の温度帯となる約−３℃の第二の温度帯（パーシャル）に設定可能である。
【００２７】
次に冷却システムの構成について説明する。第二の冷凍室１０４の背面後方には、冷却室１１４が形成され、内部に冷却器１１５を有し、上部の機械室１１３に設置された圧縮機１１２とともに、冷蔵庫１０１を冷却する冷凍サイクルを構成する。また、冷却室１１４には、冷却器１１５で熱交換された冷気を強制循環させるファン１１６が配置され、その上方には冷蔵室１０２と変温室１０７に流入する冷気を分配するダンパー装置１１７を配置している。各貯蔵室において、冷蔵室１０２の庫内温度は約２〜３℃であり、野菜室１０６の庫内温度は約２〜５℃であり、第一の冷凍室１０３、第二の冷凍室１０４の庫内温度は約−１８〜−２０℃と温度帯を分けて使用可能である。それにより、食品の保存に適した温度帯を選択し、食品を貯蔵することによって、より高い保鮮性と長期保存を実現することができる。
【００２８】
また冷蔵室１０２内には上下段に区画した複数の棚板１１８が配置され、棚板１１８よりも手前に冷蔵室１０２内を照明する庫内灯１１９を配置し、庫内灯１１９は内箱１０９を外箱１０８側に部分的に凹ませて埋設されている。また庫内灯１１９は複数の棚板１１８に跨って上下方向に延在して配置されている。庫内灯１１９は、可視光線領域内の波長を発光するＬＥＤを複数個実装した実装基板（図示せず）と、この実装基板を覆う透明樹脂性カバーとで構成されている。具体的には白色に発光する発光素子のＬＥＤを使用している。
【００２９】
次に変温室１０７と変温室１０７の天面に設置される照明装置１２１の構成について、図３〜図５を用いて説明する。変温室１０７は、その上部が冷蔵室１０２の最下段に位置する棚板１１８としても利用できる合成樹脂製の上面カバー１２２と、上面カバー１２２の下方に、前後方向に引き出し可能に収納された合成樹脂製の収納ケース１２３と、変温室１０７の上面カバー１２２の前面開口部に開閉自在に設けられた開閉扉１２４で構成されており、開閉扉１２４は閉時には収納ケース１２３の前面壁１２３ｂと密着し、変温室１０７内を略密閉空間としている。また、開閉扉１２４は内部に収納した食品が視認できるように、透明性の高い合成樹脂製としている。
【００３０】
さらに、変温室１０７の奥壁面には、開閉扉１２４が閉時に収納ケース１２３の後面壁１２３ａと勘合するように、扉開閉検知手段１２７が設けられている。また本実施の形態では、収納ケース１２３の底面にはアルミ製の底板１２８を嵌め込み、冷却性能向上や、照明装置１２１からの照明拡散による視認性向上を図っているが、特に必須のものではない。
【００３１】
また変温室１０７の奥壁面後方には、ダンパー装置１１７で分配された冷気を変温室１０７に導く変温室背面ダクト１２５が形成され、変温室１０７の天面には変温室背面ダクト１２５の下流となる変温室天面ダクト１２６が配置されている。変温室天面ダクト１２６は、断熱性を有する発泡断熱部材で形成された断熱ダクト部材１２６ａと、その外周を覆う化粧板となる合成樹脂製のダクトカバー１２６ｂとで構成されている。変温室天面ダクト１２６は上面カバー１２２とともにダクトを構成し、収納ケース１２３の上面部となる位置に変温室１０７内へ冷気を吐出する冷気吹出し口１２９を形成している。
【００３２】
また、変温室１０７内には室内を照射する照明装置１２１が、変温室天面ダクト１２６の中心位置Ｂ−Ｂよりも前方の開閉扉側に、ダクトカバー１２６ｂに埋め込まれて設置されている。照明装置１２１の具体的は構成例としては、図４に示すように、変温室１０７の横長手方向に設置する形状にプリント配線板を設計し、その基板上に複数のＬＥＤと、電流制限用の回路抵抗と、接続用のコネクタを実装するのが一般的である。本実施の形態のＬＥＤの色調としては、白色と青色のものを取り付けている。
【００３３】
次に、冷蔵室１０２には冷蔵室扉１０２ａの開閉状態を検知する冷蔵室扉スイッチ１３０が設置され、冷蔵庫１０１の庫内外の任意の場所には変温室１０７の温度帯や運転モードを切替える設定手段１３１が設置されている。また、冷蔵室扉スイッチ１３０から信号Ｓ１、設定手段１３１から信号Ｓ２、扉開閉検知手段１２７から信号Ｓ３が、それぞれ制御マイコン１３２へ入力され、さらに制御マイコン１３２からは信号Ｓ４が照明装置１２１へ出力され、変温室１０７の室内を設定手段１３１に応じた、白色、水色、青色等の照明色で照射する。
【００３４】
以上のように構成された冷蔵庫について、以下その動作、作用について図６及び図７を用いて説明する。
【００３５】
まず、設定手段１３１により変温室１０７の温度帯が、第一の温度帯（チルド）に設定されている状態（図７の（ａ））で、冷蔵室扉１０２ａが開扉されると、制御マイコン１３２からは照明装置１２１へ信号Ｓ４が出力され、変温室１０７が白色で照射される（Ｃ時点）。具体的には照明装置１２１上の白色ＬＥＤのＬＥＤ１，２，３のみを１００％の点灯率で全灯させる。続いて、変温室１０７の開閉扉１２４が開放されて収納ケース１２３が引出され、扉開閉検知手段１２７により開閉扉１２４の開扉が検知されても、照明装置１２１は白色照射を継続する（Ｄ時点）。さらに開閉扉１２４が閉扉されても白色照射は継続され（Ｅ時点）、冷蔵室扉１０２ａが閉扉されて初めて照明装置１２１は消灯される（Ｆ時点）。
【００３６】
その後、再度、冷蔵庫扉１０２ａが開扉されると、照明装置１２１は白色で変温室１０７の室内を照射し（Ｇ時点）、冷蔵室扉１０２ａが閉扉すると消灯される（Ｆ時点）。すなわち、変温室１０７が第一の温度帯（チルド）に設定されている場合は、変温室１０７は常時チルド運転を行い、その開閉扉１２４の開閉状態に拘らず、冷蔵室扉１０２ａの開閉にのみ応じて、照明装置１２１を白色に消点灯を行うこととなる。
【００３７】
次に、設定手段１３１により変温室１０７の温度帯が、第二の温度帯（パーシャル）に設定されている状態（図７の（ｂ））で、冷蔵室扉１０２ａが開扉されると、制御マイコン１３２からは照明装置１２１へ信号Ｓ４が出力され、変温室１０７が水色で照射される（Ｉ時点）。具体的には照明装置１２１上の白色ＬＥＤのＬＥＤ１，２，３を７５％の点灯率、青ＬＥＤのＬＥＤ４，５を７５％の点灯率で調光し、水色の照射を実現させる。ここで点灯率を１００％以下にする方法としては、ＬＥＤに流す順電流を変化させたり、視認性にちらつき影響を及ぼさない周波数でＤＵＴＹ制御を行えば良い。次に、変温室１０７の開閉扉１２４が開放されて収納ケース１２３が引出され、扉開閉検知手段１２７により開放扉１２４の開扉が検知されても、照明装置１２１は水色照射を継続する（Ｊ時点）。
【００３８】
さらに、開閉扉１２４が閉扉されると動作状態を急冷運転に切替えるが、水色照射は継続され（Ｋ時点）、一定の時間Ｔ経過後に照明装置１２１を青色に切替える（Ｌ時点）。具体的には照明装置１２１上の白色ＬＥＤのＬＥＤ１，２，３を２５％の点灯率、青ＬＥＤのＬＥＤ４，５を１００％の点灯率で、水色の時と同方法で調光し、青色の照射を実現させる。またここで、時間Ｔ遅らせて照明装置１２１の照明色を水色から青色に変更する
のは、使用者の操作と同時であると故障したのではないかという違和感をなくすためで、時間としては０．１秒から１秒程度の間が好ましい。そして、急冷運転継続状態で冷蔵室扉１０２ａが閉扉されるまで、照明装置１２１は青色で変温室１０７の室内を照射する（Ｍ時点）。
【００３９】
その後、所定の急冷運転が終了して通常パーシャル運転状態に戻り、再度冷蔵庫扉１０２ａが開扉されると、照明装置１２１は元の水色で変温室１０７の室内を照射し（Ｎ時点）、冷蔵室扉１０２ａが閉扉すると消灯される（Ｏ時点）。
【００４０】
また、タイミングチャートでは表せていないが、急冷運転中に冷蔵室扉１０２ａが開扉された場合は青色を照射し、冷蔵室扉１０２ａが開扉状態で急冷運転が終了した場合は、冷蔵室扉１０２ａが閉扉するまでは青色を継続して、次回の冷蔵室扉１０２ａの開扉で水色に戻しておく、等の不定期時の対応を加えれば使用者の違和感を更に低減することができる。
【００４１】
このように変温室１０７が第二の温度帯（パーシャル）に設定されている場合は、変温室１０７は通常はパーシャル運転で水色照射され、変温室１０７の開閉扉１２４の開閉で動作状態が急冷運転に切替わった時に、照明色を青色に切替えることになる。
【００４２】
以上のように、本実施の形態においては、変温室１０７の温度帯を可変する設定手段１３１と、開閉扉１２４の開閉状態を検知する扉開閉検知手段１２７からの信号を制御マイコン１３２に入力し、変温室１０７の設定及び運転状態を判断して照明装置１２１の照明色を可変にしたことにより、庫内灯１１９以外の照明装置１２１で変温室１０７が専用照明され、設定及び動作状態が照明色で変わり、使用者は一目で判断できて視認性も高まるので、例えばチルド保存したい食品をパーシャル設定で微凍結させてしまうことや、通常パーシャル保存したい食品に急冷運転を入れてしまう等の食品保存への悪影響を未然に排除できる。
【００４３】
また、設定手段１３１により設定される第一の温度帯と第二の温度帯で、第二の温度帯の設定時に開閉扉１２４の開閉動作後に急冷運転に動作を切替えることにより、設定した温度帯の複数あった場合（例えば、チルドやパーシャル）や、使用者が操作により動作モードを切替えた場合（例えば、パーシャルから急冷へ）を、照明色の違いで表現できるので、特に切替え操作と照明色変更の連動で、使用者は操作確認を視覚的に実感することができる。
【００４４】
また、照明装置１２１の照明色を第一の温度帯設定時には白色、第二の温度帯設定時には水色、急冷運転時には青色とし、運転状態により異なる照明色としたことにより、色温度の違いで変温室１０７内の設定温度を表現するので、チルド、パーシャル、急冷の順の低温側温度の冷たさが視覚として官能的に判断できる。
【００４５】
また、照明装置１２１を変温室１０７の天面で中心より開閉扉１２４側に設置することにより、開閉扉１２４が閉扉時だけでなく、開扉時に引出された収納ケース１２３内が照射されるので、開扉扉１２４操作時や貯蔵品取出し時の視認性が確保され、優れた照明装置１２１を提供することができる。
【００４６】
また、扉開閉検知手段１２７を変温室１０７の奥面壁に、開閉扉１２４が閉扉時に収納ケース１２３と勘合し、開閉扉１２４が開扉時すなわち収納ケース１２３が引出された時に離れるように設置して、開閉扉１２４の開扉状態を判断することにより、収納ケース１２３の出し入れの操作を奥面壁で検知するので、前面にある開閉扉１２４側に接続ハーネスを引回したり、不必要な構造を設ける必要がなくなり、意匠的に優れた簡単な構成にす
ることができる。
【００４７】
（実施の形態２）
図８は本発明の実施の形態２による冷蔵庫の要部斜視断面図、図９は同実施の形態２による冷蔵庫の変温室天面ダクトを内側から見た斜視図、図１０は同実施の形態２による冷蔵庫の変温室天面ダクトを上面から見た透視図である。なお実施の形態１と同構成、同動作については、同符号を付与し詳細な説明は省略する。
【００４８】
図８〜図１０において、変温室天面ダクト１２６を構成するダクトカバー１２６ｂには、照明装置１２１が埋設されている部分を除いたエリアに、複数の冷気吹出し口１２９の開口部があり、変温室天面ダクト１２６からの冷気（図中の矢印）をこの開口部から、変温室１０７内に送り込み室内を冷却して、所定の設定温度に制御する。また、冷気の流れが照明装置１２１部分に直接当たると乱流が発生し、特に前面側の冷気吹出し口１２９から所望の冷気を送り込むことができない。そのため、冷気が照明装置１２１に当たる手前に緩やかな傾斜を持つ突起部１３３ａを設け、一旦冷気を横方向に送る。さらにその風路方向に突起部１３３ａよりも急な傾斜を持つ突起部１３３ｂを連続して設けて、冷気を前面方向に送り、前面側の冷気吹出し口１２９からも均等な冷気を変温室１０７内へ送り込むようにしている。
【００４９】
以上のように、本実施の形態においては、変温室１０７の天面に複数個の冷気吹出し口１２９を持ち、照明装置１２１の周辺の風路には冷気の流れを規制する複数個の突起部１３３ａ、１３３ｂを設けたことにより、照明装置１２１の取付け構造的に阻害する変温室１０７前方への風路が確保されるので、変温室１０７の温度制御と室内の均温化が精度よく行える。
【産業上の利用可能性】
【００５０】
以上のように、本発明にかかる冷蔵庫は、冷蔵室内にある変温室の照明を、冷蔵室照明とは別の独立照射とし、変温室の設定温度や運転動作に応じて照明色を切替えるので、使用者は視覚的に状態が判断でき、またその認識向上により変温室の無駄な開閉時間が削減でき、冷蔵庫の庫内温度上昇を未然に防止し、保鮮性を高める等の効果が得られるので、家庭用だけでなく業務用においても適用することができ、例えばクーラーボックスやショーケース、業務用冷蔵庫等の保存性の向上に対しても利用できる。
【符号の説明】
【００５１】
１０１  冷蔵庫
１０２  冷蔵室
１０２ａ  冷蔵室扉
１０３  第一の冷凍室
１０３ａ  第一の冷凍室扉
１０４  第二の冷凍室
１０４ａ  第二の冷凍室扉
１０５  製氷室
１０６  野菜室
１０６ａ  野菜室扉
１０７  変温室
１０８  外箱
１０９  内箱
１１０  断熱壁
１１１  断熱区画壁
１１２  圧縮機
１１３  機械室
１１４  冷却室
１１５  冷却器
１１６  ファン
１１７  ダンパー装置
１１８  棚板
１１９  庫内灯
１２０  冷蔵室ダクト
１２１  照明装置
１２２  上面カバー
１２３  収納ケース
１２３ａ  後面壁
１２３ｂ  前面壁
１２４  開閉扉
１２５  変温室背面ダクト
１２６  変温室天面ダクト
１２６ａ  断熱ダクト部材
１２６ｂ  ダクトカバー
１２７  扉開閉検知手段
１２８  底板
１２９  冷気吹出し口
１３０  冷蔵室扉スイッチ
１３１  設定手段
１３２  制御マイコン
１３３ａ、ｂ  突起部
【図１】
0006564996.tif 000002
【図２】
0006564996.tif 000003
【図３】
0006564996.tif 000004
【図４】
0006564996.tif 000005
【図５】
0006564996.tif 000006
【図６】
0006564996.tif 000007
【図７】
0006564996.tif 000008
【図８】
0006564996.tif 000009
【図９】
0006564996.tif 000010
【図１０】
0006564996.tif 000011
【図１１】
0006564996.tif 000012